(57)【要約】【課題】  保存されている画像データをプレビュー表示させ、インデックスプリントまたは写真プリントと見比べながら、写真プリントの画像と同じ画像を探し出し、焼き増しプリントの注文をしており、非常に煩雑で、手間のかかる作業であった。【解決手段】  本発明は、少なくとも、テキストデータ、コードデータまたは画像データを取得可能な取得手段１１と、取得したデータを通信可能な通信手段１４とを有する携帯端末であって、取得手段１１が取得したデータに対応する画像データを検索するように制御する検索制御部１３ａと、検索された画像データの写真プリントを注文する場合に、通信手段を用いて注文可能に制御する注文制御部１３ｂとをさらに有する携帯端末である。【選択図】図１
2006330834.tif 000002
【特許請求の範囲】
【請求項１】
少なくとも、テキストデータ、コードデータまたは画像データを取得可能な取得手段と、前記取得したデータを通信可能な通信手段とを有する携帯端末であって、
前記取得手段が取得したデータに対応する画像データを検索するように制御する検索制御部と、
前記検索された画像データの写真プリントを注文する場合に、前記通信手段を用いて注文可能に制御する注文制御部とをさらに有する携帯端末。
【請求項２】
前記取得手段は、
写真プリントの裏面にバックプリントされたテキストデータまたはコードデータを読み取り可能である請求項１に記載の携帯端末。
【請求項３】
前記取得手段は、写真プリントの表面の画像データを撮影可能である請求項１または請求項２に記載の携帯端末。
【請求項４】
前記テキストデータを入力するための入力部をさらに有し、
前記検索制御部は、前記入力部で入力されたテキストデータに対応する画像データを検索するように制御する請求項１から請求項３のいずれかに記載の携帯端末。
【請求項５】
前記検索制御部は、
前記取得手段で取得したテキストデータ及び／またはコードデータが認識不可能な場合に、画像データを取得可能に制御する請求項１から請求項４のいずれかに記載の携帯端末。
【請求項６】
前記検索制御部は、
前記取得手段が取得した画像データを画像処理して検索用画像データを作成し、前記検索用画像データに基づいて検索する請求項１から請求項５に記載の携帯端末。
【請求項７】
前記検索制御部は、
前記画像データを格納している格納部を選択可能に検索する請求項１から請求項６のいずれかに記載の携帯端末。
【請求項８】
前記検索制御部は、
携帯端末が有する格納部から画像データを検索できない場合に、携帯端末と通信可能な情報処理装置の格納部を検索する請求項７に記載の携帯端末。
【請求項９】
データを通信可能な通信手段と、少なくとも画像データを格納する格納部とを有するサーバであって、
前記通信手段が前記画像データを識別可能なデータを受信した場合に、前記受信したデータに基づいて、前記格納部から画像データを検索し、前記検索された画像データを、前記データの送信元に送信するように制御する検索制御部をさらに有するサーバ。
【請求項１０】
前記検索手段は、
前記データが画像データである場合に、画像データを画像処理して検索用画像データを作成し、前記検索用画像データに基づいて検索する請求項９に記載のサーバ。
【請求項１１】
少なくとも、テキストデータ、コードデータまたは画像データを取得可能な取得手段と、前記取得したデータを通信可能な第１の通信手段とを有する携帯端末と、
データを通信可能な第２の通信手段と、前記データに対応する画像データを格納可能な格納部とを有するサーバとを具備する写真プリント注文システムであって、
前記携帯端末は、
前記取得手段が取得したデータに対応する画像データを検索するように制御する第１の検索制御部と、
前記検索された画像データの写真プリントを注文する場合に、前記第１の通信手段を用いて、前記サーバに注文可能に制御する注文制御部とをさらに有し、
前記第１の検索制御部は、前記サーバから検索する場合に、前記サーバに前記データを送信し、前記データに対応する画像データを取得するように制御し、
前記サーバは、
前記第２の通信手段が前記画像データを識別可能なデータを前記携帯端末から受信した場合に、前記受信したデータに基づいて、前記格納部から画像データを検索し、前記検索された画像データを、前記携帯端末に送信するように制御する第２の検索制御部をさらに有する写真プリント注文システム。
【請求項１２】
コンピュータに、
テキストデータ、コードデータまたは画像データを取得する取得ステップと、
取得したデータに対応する画像データを検索するように制御する検索制御ステップと、
検索制御ステップで検索された画像データの写真プリントを注文可能に制御する注文制御ステップを実行させるためのプログラム。
【請求項１３】
コンピュータに、
テキストデータ及び／またはコードデータを取得する取得ステップと、
前記取得ステップで取得したテキストデータ及び／またはコードデータが認識不可能な場合に、画像データを取得可能に制御する検索制御ステップを実行するためのプログラム。
【請求項１４】
コンピュータに、
携帯端末の記録媒体から画像データを検索できない場合に、携帯端末と通信可能な情報処理装置の記録媒体を検索するように制御する検索制御ステップを実行するためのプログラム。
【発明の詳細な説明】
【技術分野】
【０００１】
本発明は、写真プリントを作成するための写真プリント注文システム及び、そのシステムを構成する携帯端末及びサーバに関するものである。
【背景技術】
【０００２】
従来技術において、カメラ付携帯電話で撮影した写真を直接、写真プリント注文するシステムがある（非特許文献１参照）。このシステムの概略は以下である。（１）カメラで画像を撮影し、予め保存しておく。（２）次に、カメラ付携帯電話からサーバにアクセスする。（３）写真プリント作成する店舗を選択し、注文者の氏名、電話番号等を登録する。（４）画像データを貼付したメールを作成し、サーバに送信する。（５）サイズと枚数を選択し、注文内容及びプリント料金等を確認後、注文する。（６）サーバからカメラ付携帯電話に注文を受け付けた内容のメールが送信される。（７）後日、注文者は店舗で仕上がりプリントを受け取る。
【０００３】
【非特許文献１】ノーリツ鋼機株式会社、［ｏｎｌｉｎｅ］、平成１７年４月２３日、［平成１７年４月２３日検索］、インターネット＜URL:http://www.dpegg.com/eggsite/pager＞
【発明の開示】
【発明が解決しようとする課題】
【０００４】
しかしながら、従来の写真プリント注文システムは、焼き増しプリントを注文する際に、カメラ付携帯電話に保存されている画像データをプレビュー表示させ、インデクッスプリントまたは写真プリントと見比べながら、写真プリントの画像と同じ画像を探し出し、焼き増しプリントの注文をしており、非常に煩雑で、手間のかかる作業であった。
【課題を解決するための手段】
【０００５】
上記の課題を解決するために、本発明は、少なくとも、テキストデータ、コードデータまたは画像データを取得可能な取得手段と、取得したデータを通信可能な通信手段とを有する携帯端末であって、取得手段が取得したデータに対応する画像データを検索するように制御する検索制御部と、検索された画像データの写真プリントを注文する場合に、通信手段を用いて注文可能に制御する注文制御部とをさらに有する携帯端末である。
【０００６】
この構成によれば、写真プリントを特定するデータを取得するだけで、画像データを検索し特定できるので、プレビュー画面から画像データを探し出す煩雑な操作を必要としない。よって、焼き増しプリント注文の操作が簡単かつ短時間で行え、注文者の手間を軽減できる。さらに、焼き増しプリント注文する場合に限らず、携帯端末から、保存されている画像データを簡単に確認できる。
【０００７】
また、上記の携帯端末において、取得手段は、写真プリントの裏面にバックプリントされたテキストデータまたはコードデータを読み取り可能であることを特徴とする。
【０００８】
この構成によれば、写真プリント裏面の識別情報、例えばファイル名、注文ＩＤ、バーコード、二次元コード等を読み取り、画像データを検索できる。よって、プレビュー画面から画像データを探し出す必要がなく、写真プリントの画像データを簡単に検索して、焼き増しプリント注文が可能である。
【０００９】
また、上記の携帯端末において、取得手段は、写真プリントの表面の画像データを撮影可能であることを特徴とする。
【００１０】
この構成によれば、写真プリント表面の画像自体を取得して、画像データを検索できる。よって、プレビュー画面から画像データを探し出す必要がなく、写真プリントの画像データを簡単に検索して、焼き増しプリント注文が可能である。
【００１１】
また、上記の携帯端末において、テキストデータを入力するための入力部をさらに有し、検索制御部は、入力部で入力されたテキストデータに対応する画像データを検索するように制御することを特徴とする。
【００１２】
この構成によれば、写真プリント裏面の識別情報、例えばファイル名、注文ＩＤ等を直接入力して、画像データを検索できる。取得手段を起動して、データの取得をしなくとも、識別情報を入力すれば、画像データを検索できる。
【００１３】
また、上記の携帯端末において、検索制御部は、取得手段で取得したテキストデータ及び／またはコードデータが認識不可能な場合に、画像データを取得可能に制御することを特徴とする。
【００１４】
この構成によれば、テキストデータ及び／またはコードデータを読み取っても、認識不可能であれば、画像データを撮影して、画像データを検索できる。
【００１５】
また、上記の携帯端末において、検索制御部は、取得手段が取得した画像データを画像処理して検索用画像データを作成し、検索用画像データに基づいて検索することを特徴とする。
【００１６】
この構成によれば、取得した画像データを画像処理して、検索用に適した画像データにし、検索速度を上げることができる。
【００１７】
また、上記の携帯端末において、検索制御部は、画像データを格納している格納部を選択可能に検索することを特徴とする。
【００１８】
この構成によれば、携帯端末に内蔵される記録媒体またはネットワーク接続された記録媒体を指定して検索できる。よって、例えば、携帯端末本体に画像データが格納されていないことが検索前に判明している場合に、ネットワーク接続される例えば、情報処理装置等の記録媒体を検索することができる。
【００１９】
また、上記の携帯端末において、検索制御部は、携帯端末が有する格納部から画像データを検索できない場合に、携帯端末と通信可能な情報処理装置の格納部を検索することを特徴とする。
【００２０】
この構成によれば、携帯端末に内蔵する記録媒体に、画像データが保存されていない場合に、自動的に、携帯端末と通信可能な情報処理装置の記録媒体を検索できる。よって、携帯端末で検索されない場合に、再度検索操作で外部の情報処理装置を検索するように指定する必要がない。
【００２１】
また、他の発明は、データを通信可能な通信手段と、少なくとも画像データを格納する格納部とを有するサーバであって、通信手段が前記画像データを識別可能なデータを受信した場合に、受信したデータに基づいて、格納部から画像データを検索し、検索された画像データを、データの送信元に送信するように制御する検索制御部をさらに有するサーバである。
【００２２】
この構成によれば、サーバに格納している画像データを検索し、携帯端末に画像データを送信できる。
【００２３】
また、上記のサーバにおいて、検索制御部は、データが画像データである場合に、画像データを画像処理して検索用画像データを作成し、検索用画像データに基づいて検索することを特徴とする。
【００２４】
この構成によれば、サーバ側で、画像処理できるので、携帯端末で画像処理して検索用画像データを作成しなくてよく、携帯端末のパフォーマンス低下を防止できる。
【００２５】
また、他の発明は、少なくとも、テキストデータ、コードデータまたは画像データを取得可能な取得手段と、取得したデータを通信可能な第１の通信手段とを有する携帯端末と、データを通信可能な第２の通信手段と、データに対応する画像データを格納可能な格納部とを有するサーバとを具備する写真プリント注文システムであって、携帯端末は、取得手段が取得したデータに対応する画像データを検索するように制御する第１の検索制御部と、検索された画像データの写真プリントを注文する場合に、第１の通信手段を用いて、サーバに注文可能に制御する注文制御部とをさらに有し、第１の検索制御部は、サーバから検索する場合に、サーバにデータを送信し、データに対応する画像データを取得するように制御し、サーバは、通信手段が画像データを識別可能なデータを携帯端末から受信した場合に、受信したデータに基づいて、格納部から画像データを検索し、前記検索された画像データを、携帯端末に送信するように制御する第２の検索制御部をさらに有する写真プリント注文システムである。
【００２６】
この構成の作用効果は、上記で説明した作用効果と同様である。
【００２７】
また、他の発明は、コンピュータに、テキストデータ、コードデータまたは画像データを取得する取得ステップと、取得したデータに対応する画像データを検索するように制御する検索制御ステップと、検索制御ステップで検索された画像データの写真プリントを注文可能に制御する注文制御ステップを実行させるためのプログラムである。
【００２８】
また、他の発明は、コンピュータに、テキストデータ及び／またはコードデータを取得する取得ステップと、取得ステップで取得したテキストデータ及び／またはコードデータが認識不可能な場合に、画像データを取得可能に制御する取得制御ステップを実行するためのプログラムである。
【００２９】
また、他の発明は、コンピュータに、携帯端末の記録媒体から画像データを検索できない場合に、携帯端末と通信可能な情報処理装置の記録媒体を検索するように制御する検索制御ステップを実行するためのプログラムである。
【００３０】
以上のプログラムの作用効果は、上記で説明した作用効果と同様である。
【００３１】
本発明において「携帯端末」とは、画像データを撮影及び／または取得でき、通信機能を有する装置であって、携帯可能な装置であり、例えば、カメラ付携帯電話が例示される。また、例えばＣＣＤ型撮像素子またはＣＭＯＳ型撮像素子等のイメージセンサと接続可能に構成される携帯電話、ＰＨＳ（登録商標）また、通信機能を備えたデジタルカメラ等が例示される。さらに、イメージセンサを備えかつ携帯電話と接続可能なＰＤＡ（Ｐｅｒｓｏｎａｌ  Ｄｉｇｉｔａｌ  Ａｓｓｉｓｔａｎｔ）及びハンドヘルドコンピュータも例示される。
【００３２】
また、注文情報は、写真プリント注文システムで使用可能な写真プリント注文のための情報であり、例えば、携帯端末固有のＩＤ（例えば、携帯電話であれば電話番号、固有の製造記号等）、注文者のＩＤ（例えば氏名、住所等）、または携帯端末のメールアドレス、画像データ、画像データの識別情報等の内いずれか複数の情報から構成される。
【００３３】
また、識別情報は、画像データを識別する情報であり、特に制限されないが、例えば、画像データのファイル名、画像データのＩＤ、注文ＩＤ、バーコード（例えば、ＪＡＮコード等）、二次元コード（例えば、ＣＰコード、ＶＳコード（登録商標）、ＱＲコード、ＰＤＦ４１７、Ｖｅｒｉコード、Ｄａｔａ  Ｍａｔｒｉｘ等）等が例示される。
【発明を実施するための最良の形態】
【００３４】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００３５】
（実施の形態１）
＜写真プリント注文システムの構成＞
本実施の形態における写真プリント注文システムの全体構成を図１に概念的に示す。携帯端末１０と基地局４０が通信可能に構成され、基地局４０とサーバ２０及び店舗３０はネットワークを介して接続されている。店舗３０は、写真処理装置３１、この写真処理装置３１と直接接続される情報処理装置３２及び写真処理装置３１とＬＡＮ接続される外部端末３３、３４で構成されている。サーバ２０は、写真処理装置３１、情報処理装置３２、外部端末３３、３４のいずれとも通信可能に構成されている。またサーバ２０は、写真プリント注文システムに必要なデータを管理し、そのためのＤＢ２１（データベース）を有する。
【００３６】
＜携帯端末の構成＞
図２は、携帯端末１０の構成を示すブロック図である。携帯端末１０は、例えば、画像取得手段１１、本体格納部１２、注文アプリケーション１３、第１の通信手段１４、表示部１５、入力部１６、メディア１７、ＣＰＵ１８、メモリ１９等を有する。なお、携帯端末１０が携帯電話の場合に、例えば、通話機能も有する。
【００３７】
取得手段１１は、テキストリーダー１１ａ、コードリーダー１１ｂ及びカメラ１１ｃで構成されている。テキストリーダー１１ａは、テキスト形式の識別情報、例えば、写真プリントの裏面にバックプリントされたファイル名、画像データＩＤ、注文ＩＤ等を読み取ることができる。コードリーダー１１ｂは、例えば、写真プリントの裏面にバックプリントされたバーコード、２次元コード等を読み取ることができる。カメラ１１ｃは、写真プリントの表面の画像データを撮影することができる。
【００３８】
テキストリーダー１１ａ、コードリーダー１１ｂ及びカメラ１１ｃは、例えばＣＣＤ型撮像素子またはＣＭＯＳ型撮像素子等のイメージセンサ及びその制御回路等で構成される。なお、携帯端末１０がカメラ付携帯電話の場合、その機能として予め有するテキストリーダー、バーコードリーダー、カメラの機能を利用することができる。
【００３９】
本体格納部１２は、例えば、画像データ及びその識別情報（例えば、ファイル名等）、注文情報を格納している。本体格納部１２は、不揮発性の記録媒体が好適であるが揮発性の記録媒体でもよく、例えばフラッシュＥＥＰＲＯＭ等で構成される。また、本体格納部１２は、画像データ及びその画像データの識別情報とを対応づけて格納している。また、本体格納部１２は、外部装置（不図示）から送信された画像データ等を格納できる。
【００４０】
注文アプリケーション１３は、写真プリント注文をするためのアプリケーションであり、第１の検索制御部１３ａ、注文制御部１３ｂ、アプリケーション制御部１３ｃから構成されている。注文アプリケーション１３は、ソフトウェアであり、かかるソフトウェアは、携帯端末１０のＣＰＵ１８やメモリ１９等のハードウエア資源を用いて動作する。当該ソフトウェアはＲＯＭ等の記録媒体に記録されているが、サーバ２０等の外部装置（不図示）からダウンロードすることも可能である。なお、当該注文アプリケーション１３は、ファームウエアや専用回路で構成することもできる。
【００４１】
アプリケーション制御部１３ｃは、アプリケーションの全体の動作を制御するモジュールであり、例えば、画面表示制御、入力指示受付制御、第１の通信手段１４の制御、取得手段１１の制御、本体格納部１２及びメディア１７へのデータの格納や読み出し等の制御をする。
【００４２】
第１の検索制御部１３ａは、取得手段１１が取得したデータに対応する画像データを検索するように制御する。第１の検索制御部１３ａは、取得したデータが、テキストデータの例えば、ファイル名、注文ＩＤ、画像データＩＤである場合、それらをキーに画像データを検索できる。
【００４３】
また、取得したデータが、コードデータの例えば、バーコード、二次元コードである場合、コードデータをデコードして、それらが意味する画像データの識別情報（例えば、ファイル名、画像データＩＤ等）を得て、得られた識別情報をキーに検索でき、また、予め画像データとそのコードデータが対応付けられて本体格納部１２等に格納されていれば、コードデータをデコードせず、コードデータをキーに検索できる。
【００４４】
また、第１の検索制御部１３ａは、カメラ１１ｃが撮影した画像データを画像処理して検索用画像データを作成し、検索用画像データに基づいて検索できる。ここで、画像処理は、例えば、画像データを２値化処理で輪郭抽出することが例示される。かかる場合に、２値化処理して輪郭抽出された画像データが、「検索用画像データ」に相当する。検索に際し、予め格納されている画像データも同様に２値化処理で輪郭抽出しておき、検索用画像データとパターンマッチングの方法で検索できる。なお、画像処理せずそのままパターンマッチングの方法で検索することも可能である。また、写真プリントの画像を撮影する場合に、画質や画像サイズは予め設定された画質や画像サイズで撮影されるが、格納されている画像データの画質や画像サイズが不明であるので、パターンマッチングの方法で検索する場合には、取得した画像データは適宜、画質及び／または画像サイズを変更処理して行われる。なお、画像データ同士のマッチングの手法は、上記に限定されず、その他の従来から用いられるマッチング手法を適用できる。
【００４５】
また、第１の検索制御部１３ａは、画像データを格納している本体格納部１２またはメディア１７を選択可能に検索できる。
【００４６】
また、第１の検索制御部１３ａは、後述する入力部１６で入力されたテキストデータに対応する画像データを検索するように制御できる。
【００４７】
また、第１の検索制御部１３ａは、取得手段１１で取得したテキストデータ及び／またはコードデータが認識不可能な場合に、画像データを取得可能に制御できる。なお、コードデータの認識とは、コードデータをデコードして、例えば、ファイル名、画像データＩＤまたは注文ＩＤ等に認識できることをいう。
【００４８】
また、第１の検索制御部１３ａは、携帯端末１０が有する本体格納部１２またはメディア１７から画像データを検索できない場合に、携帯端末１０と通信可能なサーバ２０のＤＢ２１を検索できる。
【００４９】
注文制御部１３ｂは、検索された画像データの写真プリントを注文する場合に、第1の通信手段１４を用いて注文可能に制御する。注文制御部１３ｂは、注文情報を作成する。この注文情報には、識別情報が含まれる。ここでの識別情報は、テキストデータのファイル名、画像データＩＤ、注文ＩＤ等である。ファイル名、注文ＩＤや画像データＩＤは、サーバ２０で設定することもでき、サーバ２０で設定された場合、携帯端末１０に、ファイル名、注文ＩＤや画像データＩＤを送信するように構成可能である。
【００５０】
第１の通信手段１４は、画像データや注文情報等のデータを送受信する。例えば、携帯端末１０が携帯電話である場合、通話機能を有する無線インターフェース等で実現できる。
【００５１】
また、携帯端末１０が携帯電話の場合に、基地局４０との通信方式は、特に限定されないが、例えば、ＰＤＣ、ＧＭＳ、ＣＤＭＡの各方式が採用できる。特に、高速デジタルデータ通信方式としては、Ｗ−ＣＤＭＡ、ｃｄｍａ２０００  １×ＥＶ−ＤＯ等が採用可能である。かかる場合に第１の通信手段１４は、各々の通信方式に対応する通信インターフェースで実現可能である。また、データは、パケット単位に分割されて通信される。
【００５２】
表示部１５は、アプリケーションの画面を表示することができる。表示部１５は、通常、液晶ディスプレイで構成されるが、有機ＥＬディスプレイやタッチパネル等で構成してもよい。
【００５３】
入力部１６は、テキストデータまたは、各種入力指示を受け付けるための入力インターフェースであり、ボタン、音声認識手段、タッチパネル等で構成できる。
【００５４】
メディア１７は、携帯端末１０と接続可能な記録媒体であり、例えば、携帯端末１０が携帯電話の場合、ｍｉｎｉＳＤカード等が例示される。
【００５５】
＜サーバの構成＞
図３は、サーバ２０の構成を示すブロック図である。サーバ２０は、例えば、ＤＢ２１（格納部に相当する）、サーバアプリケーション２２、第２の通信手段２３、ＣＰＵ２４、メモリ２５等を有する構成である。
【００５６】
ＤＢ２１は、注文情報、画像データ、顧客情報、店舗情報等を格納している。ＤＢ２１は、大容量データを格納可能な記憶媒体であり、例えば、大容量ハードディスク、光磁気ディスク等で構成できる。顧客情報は、写真プリント注文システムを利用する顧客に関する情報であり、例えば、氏名、携帯電話番号、携帯電話のメールアドレス、顧客ＩＤ、注文実績等を有する。また店舗情報は、写真プリント注文システムで写真プリントを作成できる店舗に関する情報であり、例えば、店舗ＩＤ、写真処理装置ＩＤ、ＩＰアドレス等を有する。
【００５７】
サーバアプリケーション２２は、写真プリント注文システムのサーバ側のアプリケーションであり、第２の検索制御部２２ａ、注文受付制御部２２ｂ、注文管理部２２ｃを有して構成されている。サーバアプリケーション２２は、ソフトウェアであり、かかるソフトウェアは、サーバ２０のＣＰＵ２４やメモリ２５等のハードウエア資源を用いて動作する。当該ソフトウェアはＲＯＭ等の記録媒体に記録されている。
【００５８】
第２の検索制御部２２ａは、第２の通信手段２３が画像データを識別可能なデータを受信した場合に、受信したデータに基づいて、ＤＢ２１から画像データを検索し、検索された画像データを、データの送信元の携帯端末１０に送信するように制御する。
【００５９】
また、第２の検索制御部２２ａは、データが画像データである場合に、画像データを画像処理して検索用画像データを作成し、検索用画像データに基づいて検索することができる。
【００６０】
注文受付制御部２２ｂは、携帯端末１０から注文情報を受信し、注文を受け付けたことを示す受付信号を返信するように制御する。また、注文受付制御部２２ｂは、注文情報を顧客情報または店舗情報と対応づけて、ＤＢ２１に格納するように制御可能である。
【００６１】
注文管理部２２ｃは、アプリケーションの全体の動作を制御するモジュールであり、例えば、第２の通信手段２３の制御、ＤＢ２１へのデータの格納や読み出し等の制御、写真処理装置３１への注文処理等をする。
【００６２】
第２の通信手段２３は、画像データ、注文情報等のデータを基地局４０、写真処理装置３１、情報処理装置３２、及び外部端末３３、３４等と通信可能に構成される。第２の通信手段２３は、無線通信装置でもよく、有線通信装置でもよい。
【００６３】
＜写真処理装置等の構成＞
写真処理装置３１は、主に、フィルムスキャン装置、画像処理部、写真プリント作成手段、通信手段等を有して構成される。写真処置装置３１は従来技術であるので、簡単に説明する。フィルムスキャン装置でネガフィルムから画像データを読み取り、適宜補正データを設定し、画像処理部が補正データに基づいて画像データを画像処理して露光用画像データを作成し、写真プリント作成手段が露光用画像データに基づいて露光処理し、現像処理を経て写真プリントを作成する。写真処理装置３１は、通信手段の機能により、インターネットを介してサーバ２０と接続され、サーバ２０から写真プリントの注文を受け付け可能である。
【００６４】
また、写真処理装置３１は、複数の画像データの写真プリントを集合して配列したインデックスプリントを作成できる。このインデックスプリントには、画像データに対応する識別情報（例えば、ファイル名、コードデータ等）も同時にプリントすることもできる。
【００６５】
また、バックプリント機能によって、写真プリント裏面に表の写真プリントに対応する識別情報をプリントすることもできる。
【００６６】
情報処理装置３２は、インターネットを介してサーバ２０と接続され、サーバ２０から写真プリントの注文を受け付け可能である。情報処理装置３２は、通常、写真処理装置３１と直接接続され、各種メディア読み取り装置を有して、この読み取り装置から画像データを取得し、適宜補正処理を施して写真処理装置３１に送信できるように構成されている。
【００６７】
外部端末３３、３４は、インターネットを介してサーバ２０と接続され、サーバ２０から写真プリントの注文を受け付け可能である。外部端末３３、３４は、通常、写真処理装置３１とＬＡＮで接続され、各種メディア読み取り装置を有して、この読み取り装置から画像データを取得し、適宜補正処理を施して写真処理装置３１に送信できるように構成されている。
【００６８】
＜システム全体のフローチャート＞
以下、写真プリント注文システムの全体の動作について図４のフローチャートを用いて説明する。
【００６９】
携帯端末１０は、写真プリントから識別情報を取得する（＃１）。取得した識別情報をキーに画像データを、携帯端末１０またはサーバ２０から検索する（＃１’）。検索した画像データを確認後、注文情報を送信する（＃２）。サーバ２０は送信された注文情報に応じて、受付信号を携帯端末１０に送信する（＃３）。
【００７０】
サーバ２０は、注文情報を写真処理装置３１に送信する（＃４）。写真処理装置３１は、注文を受け付けたことを示す受領情報をサーバ２０に送信する（＃５）。
【００７１】
写真処理装置３１は、注文情報に基づいて、写真プリントを作成するとともに、識別情報をバックプリントする（＃６）。そして、携帯端末１０の注文者が写真プリントを引き取る（＃７）。
【００７２】
＜携帯端末のフローチャート＞
以下に、携帯端末１０の動作について図５から図７のフローチャートを用いて説明する。図５に示す動作は、携帯端末１０の一動作例である。
【００７３】
（ステップＳ１）注文アプリケーションを起動する。
【００７４】
（ステップＳ２）表示部１５の画面上に、「モード選択画面」が表示される。
【００７５】
（ステップＳ３）識別情報または写真プリントの画像を取得して、画像データを検索する場合に、「候補撮影」を選択する。この選択により、画面上に、「テキストリーダー」、「コードリーダー」、「カメラ」を指定する選択画面が表示される。
【００７６】
（ステップＳ４）識別情報の例えば、ファイル名、注文ＩＤまたは画像データＩＤ等を取得する場合、「テキストリーダー」を選択する。
【００７７】
（ステップＳ５）テキストリーダー１１ａが起動し、識別情報を読み取る。
【００７８】
（ステップＳ６）第1の検索制御部１３ａは、ステップＳ５で読み取られた識別情報を認識する。ここで、認識とは、文字として認識することを意味する。認識できない場合、エラー信号（エラー音、エラー表示）を出力し、再度、読み取り操作を行う。
【００７９】
（ステップＳ７）画像データの検索先を指定する。携帯端末１０の本体格納部１２またはメディア１７を検索する場合、「本体」を指定する。これにより、第1の検索制御部１３ａは、本体格納部１２またはメディア１７から画像データを検索する。本体格納部１２またはメディア１７から画像データを検索できない場合、第1の検索制御部１３ａは、サーバ２０を検索するか否かを選択可能にして、サーバ２０を検索できるように構成できる。
【００８０】
（ステップＳ８）第1の検索制御部１３ａは、検索された画像データを、表示部１５の画面上に表示する。この表示された画像データと写真プリントを見比べ、一致するか否かをユーザは判断し、焼き増しプリント注文するか否かを検討する。
【００８１】
（ステップＳ９）継続して、画像データを検索する場合、ステップＳ４に戻り、読み取りを継続できる。焼き増しプリント注文する場合、モード選択画面に戻り、「注文処理」を選択する。
【００８２】
（ステップＳ１０）サーバ２０を検索する場合、「サーバ」を指定する。これにより、第1の検索制御部１３ａは、サーバ２０から画像データを取得する。具体的には、サーバ２０に、識別情報または画像データを送信し、その識別情報または画像データに対応する画像データを受信する。サーバ２０は、携帯端末１０から識別情報または画像データを受信したら、第２の検索制御部２２ａが、その識別情報または画像データに対応する画像データを検索し、送信元の携帯端末１０に検索された画像データを第２の通信手段を用いて送信する。ここで、受信したデータが画像データの場合、第２の検索制御部２２ａは、その画像データを画像処理して検索用画像データを作成し、その検索用画像データをキーに、ＤＢ２１に格納されている画像データを検索可能である。
【００８３】
画像データを取得後、ステップＳ８に行く。第２の検索制御部２２ａが、画像データを検索できない場合、第２の検索制御部２２ａは、エラー信号を携帯端末１０に送信し、第1の検索制御部１３ａは、そのエラー信号を受信したら、携帯端末１０の本体格納部１２またはメディア１７を自動的に検索する。かかる検索前に、本体格納部１２またはメディア１７を検索するか否かを選択できるように構成してもよい。
【００８４】
（ステップＳ１１）識別情報の例えば、バーコードまたは２次元コード等を取得する場合、「コードリーダー」を選択する。
【００８５】
（ステップＳ１２）コードリーダー１１ｂが起動し、識別情報を読み取る。ステップＳ６に行く。
【００８６】
（ステップＳ１３）写真プリントの画像を取得する場合、「カメラ」を選択する。
【００８７】
（ステップＳ１４）カメラ１１ｃが起動し、写真プリントの画像を撮影する。
【００８８】
（ステップＳ１５）第1の検索制御部１３ａは、ステップＳ１４で撮影した画像データを画像処理する。その後、ステップＳ７に行く。
【００８９】
図６に示す動作は、携帯端末１０の別の動作例である。なお、ステップＳ１からステップＳ５、ステップＳ７からステップＳ１５は、図５の動作と同じ動作であるので、説明は省略する。
【００９０】
（ステップＳ２０）第1の検索制御部１３ａは、テキストリーダー、または、コードリーダーで読み取られた識別情報が、認識不可能であるか否かを判断する。認識不可能である場合、ステップＳ１３に行き、カメラ１１ｃが起動し、写真プリントの画像を撮影する。認識できた場合、ステップＳ７に行き、検索処理を開始する。
【００９１】
図７に示す動作は、携帯端末１０の別の動作例である。なお、ステップＳ１からステップＳ５、ステップＳ７からステップＳ９、ステップＳ１１からステップＳ１５、及びステップＳ２０は、図６の動作と同じ動作であるので、説明は省略する。
【００９２】
（ステップＳ３０）第1の検索制御部１３ａは、携帯端末１０の本体格納部１２及びメディア１７から画像データを取得（検索）できたか否かを判断する。取得できない場合、ステップＳ３１に行き、取得できた場合、ステップＳ８に行く。
【００９３】
（ステップＳ３１）第1の検索制御部１３ａは、サーバ２０から画像データを取得する（具体的動作は、ステップＳ１０と同様である）。取得後、ステップＳ８に行く。
【００９４】
（ステップＳ４０）識別情報のファイル名、画像データ、または注文ＩＤ等を直接入力する場合、モード選択画面で、「入力」モードを選択する。この選択で、「入力画面」に切り換わる。
【００９５】
（ステップＳ４１）識別情報のファイル名、画像データ、または注文ＩＤ等を、入力部１６を操作して、直接入力する。入力後、ステップＳ７に行き、検索処理を開始する。
【００９６】
以上の動作において、「テキストリーダー」、「コードリーダー」、「カメラ」を指定する動作が含まれていたが、これに限定されず、例えば、指定行わず、自動的に、カメラ１１ｃを起動させ、撮影した画像データが、テキスト、コード、画像データのいずれかを認識できるように構成できる。この構成によれば、上記の選択操作を省略でき、操作性を向上できる。
【００９７】
＜サーバの動作＞
次に、サーバ２０の動作について簡単に説明する。サーバ２０上でサーバアプリケーション２２が起動している。
【００９８】
第２の通信手段２３は、携帯端末１０から、検索するための識別情報または画像データを受信したら、第２の検索制御部２２ａが、その識別情報または画像データに対応する画像データをＤＢ２１から検索し、送信元の携帯端末１０に検索された画像データを第２の通信手段を用いて送信する。
【００９９】
また、第２の通信手段２３は、携帯端末１０から、識別情報を含む注文情報を受信した場合に、注文受付制御部２２ｂは、受付信号を携帯端末１０に送信する。次に、注文受付制御部２２ｂは、注文情報を顧客情報及び店舗情報と対応づけてＤＢ２１に格納する。そして、注文受付制御部２２ｂは、識別情報含む注文情報を写真処理装置３１に送信する。
【０１００】
＜写真処理装置の動作＞
写真処理装置３１の動作を簡単に説明する。
【０１０１】
写真処理装置３１は、サーバ２０から、識別情報を含む注文情報を受信し、その注文情報に含まれる画像データの写真プリントを作成する。また、写真処理装置３１は、インデックスプリントも同時に作成することができる。さらに、写真プリントの裏面に識別情報をバックプリントする。また、インデックスプリントにも識別情報をプリント可能である。
【０１０２】
なお、識別情報として、コードデータをプリントする場合、写真処理装置３１は、例えば、ファイル名、画像データＩＤ、注文ＩＤ等をエンコードしてコードデータを作成する機能を有する。
【０１０３】
上記の写真プリント注文システムにおいて、携帯端末１０から写真プリントの注文をする場合に、サーバ２０から直接に、写真処理装置３１に注文情報が送信されるものだったが、これに限定されず、例えば、サーバ２０から情報処理装置３２または外部端末３３、３４を介して写真処置装置３１に注文情報を送信するように構成できる。
【０１０４】
また、上記の写真プリント注文システムにおいて、携帯端末１０から写真プリントの注文をする場合に、サーバ２０を介して写真処理装置３１に注文情報が送信されるものだったが、これに限定されず、例えば、サーバ２０を介さず、携帯端末１０から直接、写真処理装置３１に送信することも可能であり、かかる場合に、写真処理装置３１は、サーバ２０の構成要素を有するように構成される。
【０１０５】
＜具体的動作＞
以下に、写真プリント注文システムにおける携帯端末１０の具体的動作について説明する。ここで、携帯端末１０は、カメラ付携帯電話として説明する。図８は、写真プリント及びインデクッスプリントの例を示す図である。図８において、（ａ）は、写真プリントの表面の写真画像である。また、（ｂ）は、その裏面であり。識別情報として、ファイル名「200505041205」がバックプリントされている。また、（ｃ）は、裏面にＱＲコードがバックプリントされている。このＱＲコードは、ファイル名「200505041205」をエンコードして作成されたものである。また、（ｄ）は、ファイル名と画像データをプリントしたインデックスプリントである。
【０１０６】
図９は、携帯電話の本体格納部１２に格納されている画像データに関する情報である。例えば、ファイル名「200505041205」の画像データは、画像サイズ「ＶＧＡ」、画質「ファイン」であり、ファイル形式は、ＪＰＥＧである。なお、このデータ構造は、特に限定されない。画像データのファイル形式はＪＰＥＧであるが、その他の形式の例えば、ＧＩＦ、ＰＮＧでもよい。画像サイズは、撮影時に適宜設定可能であり、例えば、ＶＧＡ（６４０×４８０）、ＳＸＧＡ（１２８０×９６０）、ＣＩＦ（３５２×２８８）、ＱＣＩＦ（１７６×１４４）等を選択できる。また、画質は、撮影時に適宜設定可能であり、例えば、ノーマル（標準画質）、ファイン（高画質）、スーパーファイン（最高画質）の３段階の画質モードがある。なお、ファイル名は、自動的に年月日時刻から設定されたが、適宜変更できる。
【０１０７】
＜テキストリーダーの読み取り及び検索処理＞
図１０は、テキストリーダーの読み取り処理及び検索処理の一例を示す図である。図１０（ａ）に示すように、「プリント注文」を選択（反転表示されて「選択キー」を選択）すると、注文アプリケーションが起動し、モード選択画面に切り換わる（図１０（ｂ））。このモード選択画面で、「候補選択」を選択し、候補選択画面を表示させる（図１０（ｃ））。
【０１０８】
図１０（ｃ）に示すように、「テキストリーダー」を選択すると、テキストリーダーが起動し、テキストリーダー画面に切り換わる（図１０（ｄ））。この画面上で、図８（ｂ）に示すファイル名「200505041205」を被写体として読み取る（「撮影キー」を選択する）。
【０１０９】
ファイル名が認識された場合、図１０（ｅ）に示すように、認識結果「200505041205」が表示される。また、画面上に、「本体」、「サーバ」、「本体→サーバ」が表示され、検索先を指定できる。例えば、矢印キー１０１で、「本体」を指定して反転表示させ、選択キー１０２で選択すると、「200505041205」をキーに、本体格納部１２及びメディア１７を検索する。検索中は、画面上部に「本体検索中」が表示される（図１０（ｆ））。検索が成功すると、画像データが画面上に表示される。この画像データを注文する場合、注文キー１０４を選択すれば、注文情報入力画面に移行し、注文処理が可能になる（図１４（ｃ）参照）。「戻る」を選択すると、図１０（ｃ）の候補選択画面に戻るが、図１０（ｄ）のテキストリーダー画面に戻るように設定することも可能である。また、検索中に、中止キー１０３を選択すると、検索が中断され、図１０（ｅ）の画面に戻ることができ、検索先を変更して検索を再度開始できる。
【０１１０】
＜コードリーダーの読み取り及び検索処理＞
図１１は、コードリーダーの読み取り処理及び検索処理の例を示す図である。図１１（ａ）に示す候補選択画面で、「コードリーダー」を選択すると、コードリーダーが起動し、コードリーダー画面に切り換わる（図１１（ｂ））。この画面上で、図８（ｃ）に示すＱＲコードを被写体として読み取る（「撮影キー」を選択する）。
【０１１１】
ＱＲコードがデコードされると、図１１（ｃ）に示すように、認識結果「200505041205」が表示される。また、画面上に、「本体」、「サーバ」、「本体→サーバ」が表示され、検索先を指定できる。例えば、矢印キー１０１で、「サーバ」を指定して反転表示させ、選択キー１０２で選択すると、「200505041205」を含む検索コマンドが、サーバ２０に送信される。サーバ２０の第２の検索制御部２２ａは、検索コマンドを実行し、「200502041205」をキーにＤＢ２１を検索する。検索中は、画面上部に「サーバ検索中」が表示される（図１１（ｄ））。検索が成功し、サーバ２０から画像データを受信すると、その画像データが画面上に表示される（図１１（ｅ））。
【０１１２】
ＱＲコードがデコードできなかった場合、図１１（ｆ）に示すように、画面上に「認識不可  カメラに切換」が表示される。この場合に、「戻る」を選択すると、図１１（ｂ）の画面に戻り、再度、コードを読み取り可能となる。また、選択キー１０２を選択すると、カメラが起動し、カメラ撮影画面に切り換わる（図１１（ｇ））。この構成によれば、一度、候補選択画面に戻って「カメラ」を選択することなく、ＱＲコードで認識できない写真プリントの画像データをカメラで撮影して検索処理できる。なお、選択キー１０２を選択するような構成でなく、自動的にカメラを起動するようにも構成できる。
【０１１３】
また、「カメラ」を起動するように構成したが、「テキストリーダー」を起動させて、例えば、ファイル名等を読み取らせ可能に構成することもできる。
【０１１４】
また、「コードリーダー」で認識できなかった場合に限らず、「テキストリーダー」で認識できなかった場合に、自動的に、「カメラ」を起動させて、写真プリントの画像を撮影し、検索するように構成することもできる。
【０１１５】
＜画像データの撮影及び検索処理＞
図１２は、画像データの撮影処理及び検索処理の例を示す図である。図１２（ａ）に示す候補選択画面で、「カメラ」を選択すると、カメラが起動し、カメラ撮影画面に切り換わる（図１２（ｂ））。この画面上で、図８（ａ）に示す写真プリントの画像若しくは図８（ｄ）に示すインデックスプリントの画像を被写体として撮影する（「撮影キー」を選択する）。
【０１１６】
図１２（ｃ）に示すように、撮影された画像データを２値化処理し輪郭抽出された検索用画像データが表示される。また、画面上に、「本体」、「サーバ」、「本体→サーバ」が表示され、検索先を指定できる。例えば、矢印キー１０１で、「本体→サーバ」を指定して反転表示させ、選択キー１０２で選択すると、検索用画像データと一致する画像データを、本体格納部１２及びメディア１７から検索する。検索の具体的方法として、従来技術のパターンマッチングの手法で、検索用画像データと画像データが一致するか否かを判断できる。検索中の場合、「本体検索中」が表示される。本体格納部１２及びメディア１７から検索できた場合、図１２（ｆ）に示すように、画像データ及びそのファイル名「200505041205」が表示される。なお、本体格納部１２及びメディア１７に格納されている画像データも２値化処理され輪郭抽出された被検索用画像データを作成して、検索用画像データと被検索用画像データとが一致するか否かを判断してもよく、被検索用画像データを作成せずに、検索用画像データの輪郭と類似する輪郭を有する画像データを抽出するように構成してもよい。
【０１１７】
本体格納部１２及びメディア１７から検索できなかった場合、検索用画像データを含む検索コマンドが、サーバ２０に送信される。サーバ２０の第２の検索制御部２２ａは、検索コマンドを実行し、検索用画像データと一致する画像データをＤＢ２１から検索する。検索の具体的方法は、上記と同様にパターンマッチングの手法で行われる。検索中は、画面上に「サーバ検索中」が表示される（図１２（ｅ））。検索が成功し、サーバ２０から画像データを受信すると、その画像データ及びファイル名「200505041205」が画面上に表示される（図１２（ｆ））。
【０１１８】
＜直接入力＞
図１３は、識別情報を直接入力する方法及び検索処理の例を示す図である。図１３（ａ）に示すモード選択画面で、「入力」を選択すると、入力画面に切り換わる（図１３（ｂ））。この画面上の入力フィールド１１０に、ファイル名を入力部１６のボタン操作で入力し、検索キー１１１を選択する。
【０１１９】
この操作により、検索を開始する。検索は、予め設定された、本体格納部１２、次にメディア１７、次にサーバ２０の順序で行われる。検索中の場合、画面上に、「検索中」が表示される（図１３（ｃ））。この構成によれば、検索先を指定せずに、自動的に検索が開始されるので、検索先の指定操作を省略できる。なお、検索先を指定せずに、自動的に検索が開始される構成は、テキストリーダー、コードリーダー及び画像データ撮影の処理の後の検索処理にも同様に適用できる。
【０１２０】
検索が成功したら、画面上に、検索された画像データ及びそのファイル名が表示される（図１３（ｄ））。表示された画像データを注文する場合、注文キー１０４を選択し、注文情報入力画面（図１４（ｃ）参照）に移行し、注文処理が可能になる。「戻る」を選択すると、入力画面に戻り、継続して、識別情報を入力可能になる。
【０１２１】
＜注文処理＞
図１４は、注文処理操作の一例を示す図である。図１４（ａ）で示すように、モード選択画面で「一覧表示」を選択し、プリント注文設定画面を表示させる。プリント注文設定画面上に、ファイル名の一覧及び反転表示されたファイル名の画像データが表示される。ファイル名「200505041205」が反転表示されているので、その画像データが画面下部に表示される（図１４（ｂ））。
【０１２２】
矢印キー１０１でファイル名を指定し、指定されたファイル名が反転表示されている場合に、選択キー１０２を選択すると、図１４（ｃ）に示す注文情報入力画面に切り換わる。
【０１２３】
また、上記の検索処理等で説明したように、注文キー１０４を選択した場合に、この注文情報入力画面に移行する。
【０１２４】
この注文情報入力画面で、氏名、店舗指定、サイズ、枚数等を適宜入力できる。なお、サイズや枚数は、初期値として、L判サイズ、１枚が予め設定され、ファイル名を選択して、適宜、サイズまたは枚数を変更できる。また、一度入力したことがある場合、前回の入力内容が保持され、氏名、店舗指定等がそのまま表示されるように設定可能である。
【０１２５】
注文情報を入力後、「確認」を選択し、確認画面に切り換わる（図１４（ｄ））。確認画面で「送信」を選択すると、注文情報がサーバ２０に送信される。注文情報は、ファイル名、入力された内容、携帯電話の電話番号、メールアドレス等で構成される。注文情報が送信中の場合、図１４（ｅ）に示すように、「通信中」が画面上部に表示される。そして、注文情報を送信完了し、サーバ２０から受信信号を受信したら、画面上に「注文完了」が表示される。
【０１２６】
サーバ２０では、注文受付制御部２２ｂが、受信した注文情報に基づいて、指定された店舗「Ｓ店」の写真処理装置３１に、識別情報含む注文情報を送信する。また、注文管理部２２ｃは、受信した注文情報に基づいて、ＤＢ２１の注文情報及び顧客情報等を更新する。図１５は、注文情報の一例を示す図である。注文情報は、例えば、注文ＩＤ、画像データ、ファイル名、画像サイズ、画質、顧客ＩＤ、店舗、プリント枚数、プリントサイズ等で構成され、例えば、注文ＩＤ「2005-05-0001」の画像データは、ファイル名「200505041205」、画像サイズ「ＶＧＡ」、画質「ファイン」、顧客ＩＤ「05-014」、店舗「Ｓ店」、プリント枚数「１」、プリントサイズ「Ｌ判」である。また、図１６は、顧客情報の一例を示す図である。顧客情報は、例えば、顧客ＩＤ、氏名、携帯電話、住所、メールアドレス、注文回数等で構成されている。
【０１２７】
写真処理装置３１は、注文情報を受信すると、注文情報に基づいて、識別情報をバックプリントした写真プリントを作成する。また、注文者が同一人で、注文された画像データが複数存在する場合には、識別情報をプリントしたインデックスプリントも作成する。
【０１２８】
以上、本実施の形態によれば、識別情報または画像データを取得して、簡単に画像データを検索して、確認できる。よって、画像データの一覧表示から画像データをスクロールして探し出す手間を省略し、確認した画像データをそのまま注文処理することが可能である。
【０１２９】
なお、本実施の形態において説明した、テキストリーダー、コードリーダー、カメラ撮影処理、検索処理及び注文処理の操作画面や操作方法は、上記で説明したものに限定されず、本発明の目的効果を奏するように適宜変更できる。
【０１３０】
また、本実施の形態において、テキストデータとして、ファイル名を用いたが、特にこれに限定されず、例えば、画像データのＩＤや注文ＩＤ等のその他の識別情報を用いることもできる。
【０１３１】
また、本実施の形態において、コードデータとして、ＱＲコードを用いたが、特にこれに限定されず、例えば、バーコード、ＣＰコード、ＶＳコード（登録商標）、ＰＤＦ４１７、Ｖｅｒｉコード、Ｄａｔａ  Ｍａｔｒｉｘ等のその他のコードデータを用いることもできる。
【０１３２】
さらに、本実施の形態において説明したカメラ付携帯電話の動作について、ソフトウェアで実現し、当該ソフトウェアを、例えば、サーバ上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態におけるカメラ付携帯電話の動作をソフトウェアで実現した場合のプログラムは、以下のようになる。
【０１３３】
コンピュータに、テキストデータ、コードデータまたは画像データを取得する取得ステップと、取得したデータに対応する画像データを検索するように制御する検索制御ステップと、検索制御ステップで検索された画像データの写真プリントを注文可能に制御する注文制御ステップを実行させるためのプログラムである。
【０１３４】
また、コンピュータに、テキストデータ及び／またはコードデータを取得する取得ステップと、取得ステップで取得したテキストデータ及び／またはコードデータが認識不可能な場合に、画像データを取得可能に制御する取得制御ステップを実行するためのプログラムである。
【０１３５】
また、コンピュータに、携帯端末の記録媒体から画像データを検索できない場合に、携帯端末と通信可能な情報処理装置の記録媒体を検索するように制御する検索制御ステップを実行するためのプログラムである。
【図面の簡単な説明】
【０１３６】
【図１】実施の形態における写真プリント注文システムの概念を示す図
【図２】実施の形態における携帯端末１０の構成を示すブロック図
【図３】実施の形態におけるサーバ２０の構成を示すブロック図
【図４】実施の形態における注文処理の全体フローについて説明する図
【図５】実施の形態１における携帯端末１０の動作を説明するフローチャート
【図６】実施の形態１における携帯端末１０の動作を説明するフローチャート
【図７】実施の形態１における携帯端末１０の動作を説明するフローチャート
【図８】実施の形態１における写真プリント及びインデックスプリントの例を示す図
【図９】実施の形態１における画像データに関する情報の例を示す図
【図１０】実施の形態１におけるテキストリーダー処理及び検索処理の例を示す図
【図１１】実施の形態１におけるコードリーダー処理及び検索処理の例を示す図
【図１２】実施の形態１におけるカメラ撮影処理及び検索処理の例を示す図
【図１３】実施の形態１における直接入力処理及び検索処理の例を示す図
【図１４】実施の形態１における注文処理の例を示す図
【図１５】実施の形態１における注文情報の例を示す図
【図１６】実施の形態１における顧客情報の例を示す図
【符号の説明】
【０１３７】
１０        携帯端末
１１        取得手段
１１ａ      テキストリーダー
１１ｂ      コードリーダー
１１ｃ      カメラ
１２        本体格納部
１３        注文アプリケーション
１３ａ      第１の検索制御部
１３ｂ      注文制御部
１３ｃ      アプリケーション制御部
１４        第１の通信手段
１５        表示部
１６        入力部
１７        メディア
１８        ＣＰＵ
１９        メモリ
２０        サーバ
２１        ＤＢ
２２        サーバアプリケーション
２２ａ      第２の検索制御部
２２ｂ      注文受付制御部
２２ｃ      注文管理部
２３        第２の通信手段
２４        ＣＰＵ
２５        メモリ
【図１】
2006330834.tif 000003
【図２】
2006330834.tif 000004
【図３】
2006330834.tif 000005
【図４】
2006330834.tif 000006
【図５】
2006330834.tif 000007
【図６】
2006330834.tif 000008
【図７】
2006330834.tif 000009
【図８】
2006330834.tif 000010
【図９】
2006330834.tif 000011
【図１０】
2006330834.tif 000012
【図１１】
2006330834.tif 000013
【図１２】
2006330834.tif 000014
【図１３】
2006330834.tif 000015
【図１４】
2006330834.tif 000016
【図１５】
2006330834.tif 000017
【図１６】
2006330834.tif 000018